(57)【特許請求の範囲】
【請求項１】
表示領域を有する表示部と、複数の発音体とを備えた電気光学装置であって、
前記複数の発音体はそれぞれ、平面視したときに前記表示領域と重なり合うように配置されたスピーカと、前記スピーカの発生した音を外部に発する放音孔と、前記スピーカの発生した音を前記放音孔に導く導音路と、を有し、
前記複数の発音体を構成する複数の放音孔が、前記表示領域の一部の辺に沿って、前記表示領域の平面視外側に配置され、
前記導音路は、前記スピーカから前記放音孔に向けて、前記電気光学装置の厚み方向で屈曲して形成されており、
前記複数の発音体は、前記表示部と共通のフレームに支持された第１の発音体と第２の発音体であり、
前記第１の発音体を構成する第１の前記スピーカと前記第２の発音体を構成する第２の前記スピーカは前記表示部の背面側に形成された単一の空間に収容され、前記第１のスピーカは前記空間の前記表示部と反対側の第１の壁面に対向して配置され、前記第２のスピーカは前記第１のスピーカと平面視で重なり合うように前記空間の前記表示部側の第２の壁面に対向して配置されており、
前記第１の発音体を構成する第１の前記導音路は、前記第１の壁面の内部から前記空間及び前記表示部の側方を回り込んで第１の前記放音孔に接続され、
前記第２の発音体を構成する第２の前記導音路は、前記第２の壁面の内部から前記表示部の側方を回り込んで第２の前記放音孔に接続されていることを特徴とする電気光学装置。
【請求項２】
前記放音孔の寸法が、前記表示領域の外縁に沿う方向よりも、前記表示領域の外縁に沿う方向と直交する方向の方が短いことを特徴とする請求項１に記載の電気光学装置。
【請求項３】
請求項１又は２に記載の電気光学装置を備えたことを特徴とする電子機器。
【発明の詳細な説明】
【技術分野】
【０００１】
本発明は、表示部と複数の発音体とを備えた電気光学装置と、その電気光学装置を備えた電子機器に関する。
【背景技術】
【０００２】
近年、携帯電話機、携帯情報端末機等の電子機器において、電子機器に関する各種の情報を画像として表示するための表示装置として、液晶表示装置等といった電気光学装置が広く備えられている。電気光学装置とは、電気的な入力によって光学的な出力状態を制御する装置であり、例えば、液晶表示装置、E L (Electro Luminescence)装置、プラズマディスプレイ装置などがある。
【０００３】
また、電子機器には、音を発生する手段も備えられている。例えば、携帯電話機では、相手が話す内容を音声によって表現する必要があり、音を発生する手段として、スピーカ等といった発音体が備えられている。
電気光学装置と発音体の両方を備えた電子機器は、従来から知られている。また、複数の発音体を備えた電子機器も知られている（例えば、特許文献１、特許文献２参照）。
また、近年、電子機器の小型化の要求がますます高まってきている。
【特許文献１】特開２００３−０７８６０１号公報
【特許文献２】特開２００３−１５８７８７号公報
【発明の開示】
【発明が解決しようとする課題】
【０００４】
しかしながら、従来の電気光学装置と発音体の両方を備えた電子機器では、発音体を配置するために、電気光学装置の表示部の周囲に広い面積を確保する必要があり、表示部の周囲の面積を狭くすることができないため、小型化の要求に十分に応えることができなかった。特に、複数の発音体を備えた電子機器においては、発音体を配置するための面積が多く必要であるため、問題となっていた。
【０００５】
本発明は、上記の課題を解決するためになされたものであって、発音体の配置に必要な表示部の周囲の面積を狭くすることができ、電子機器の小型化の要求に十分に応えることができる電気光学装置を提供することを目的とする。
また、上記の電気光学装置を備えた小型の電子機器を提供することを目的とする。
【課題を解決するための手段】
【０００６】
上記の目的を達成するためには、発音体の大きさを小さくして、発音体の配置に必要な表示部の周囲の面積を狭くすることが考えられる。しかし、発音体の大きさを小さくすると、発音体の発生する音量が不十分となり、音量が低下してしまう。本発明者は、この問題を解決するために、スピーカと表示部とを平面視したときに重なり合うように配置することを見出した。この場合、スピーカの大きさを十分に確保しつつ、表示部の周囲の面積を狭くすることができる。しかし、この場合でも、スピーカに発生させた音を外部に発するための放音孔を配置するために、表示部の周囲に広い面積を確保する必要があるため、小型化の要求に十分に応えることができない。
【０００７】
この問題を解決するために、放音孔の大きさを小さくことが考えられる。しかし、放音孔の大きさを小さくすると、スピーカに発生させた音を十分に放出できなくなり、スピーカが十分な音量を発生させることができるものであっても、発音体の発生する音量が不十分となってしまう。このため、放音孔の大きさを小さくすることはできず、表示部の周囲の面積を十分に狭くすることはできなかった。
本発明者は鋭意研究を重ね、スピーカと表示領域とが平面視したときに重なり合うように配置し、複数の発音体にそれぞれ設けられた放音孔を、表示領域の一部の辺に沿って周辺領域に配置することにより、発音体を配置するために必要な表示部の周囲の面積を狭くできることを見出し、本発明の電気光学装置および電子機器を見出した。
【０００８】
本発明の電気光学装置は、表示領域を有する表示部と、複数の発音体とを備えた電気光学装置であって、前記複数の発音体はそれぞれ、平面視したときに前記表示領域と重なり合うように配置されたスピーカと、前記スピーカの発生した音を外部に発する放音孔と、前記スピーカの発生した音を前記放音孔に導く導音路と、を有し、前記複数の発音体を構成する複数の放音孔が、前記表示領域の一部の辺に沿って、前記表示領域の平面視外側に配置され、前記導音路は、前記スピーカから前記放音孔に向けて、前記電気光学装置の厚み方向で屈曲して形成されており、前記複数の発音体は、前記表示部と共通のフレームに支持された第１の発音体と第２の発音体であり、前記第１の発音体を構成する第１の前記スピーカと前記第２の発音体を構成する第２の前記スピーカは前記表示部の背面側に形成された単一の空間に収容され、前記第１のスピーカは前記空間の前記表示部と反対側の第１の壁面に対向して配置され、前記第２のスピーカは前記第１のスピーカと平面視で重なり合うように前記空間の前記表示部側の第２の壁面に対向して配置されており、前記第１の発音体を構成する第１の前記導音路は、前記第１の壁面の内部から前記空間及び前記表示部の側方を回り込んで第１の前記放音孔に接続され、前記第２の発音体を構成する第２の前記導音路は、前記第２の壁面の内部から前記表示部の側方を回り込んで第２の前記放音孔に接続されていることを特徴とする。
【０００９】
本発明の電気光学装置では、複数の発音体はそれぞれ、平面視したときに表示領域と重なり合うように配置されたスピーカを有しているので、平面視したときに表示領域とスピーカとが重なり合わないように配置した場合と比較して、発音体の配置に必要な周辺領域の面積を狭くすることができる。
しかも、本発明の電気光学装置では、複数の発音体を構成する複数の放音孔が、前記表示領域の一部の辺に沿って、前記表示領域の平面視外側に位置する周辺領域に配置されているので、矩形の表示領域の場合一辺を除く三辺に沿う周辺領域に、発音体を配置するための面積を確保する必要がなく、発音体の配置に必要な周辺領域の面積を非常に狭くすることができる。
【００１０】
また、上記の電気光学装置では、前記放音孔の寸法が、前記表示領域の外縁に沿う方向よりも、前記表示領域の外縁に沿う方向と直交する方向の方が短いものとすることができる。
このような電気光学装置では、放音孔の面積が同じである場合、放音孔の寸法が、前記表示領域の外縁に沿う方向よりも、前記表示領域の外縁に沿う方向と直交する方向の方が長いものと比較して、放音孔を配置するために必要な周辺領域の面積を狭くできる。
【００１１】
また、上記の電気光学装置では、前記複数の発音体を構成する複数のスピーカは、平面視したときに互いに重なり合わないように並べて配置されていることを特徴とするものとすることができる。
このような電気光学装置は、複数のスピーカが平面視したときに互いに重なり合うように配置されているものと比較して、厚みの薄いものとなる。
【００１２】
また、上記の電気光学装置では、前記複数の発音体を構成する複数のスピーカは、平面視したときに少なくとも一部が互いに重なり合うように配置されているものとすることができる。
このような電気光学装置は、複数のスピーカが平面視したときに互いに重なり合わないように配置されているものと比較して、より一層小型なものとなる。
【００１３】
上記の目的を達成するために、本発明の電子機器は、上記のいずれかに記載の電気光学装置を備えたことを特徴とする。
このような電子機器とすることで、小型の電子機器を実現できる。
【発明を実施するための最良の形態】
【００１４】
（電気光学装置の第１実施形態）
以下、図面を参照して本発明の実施形態を説明する。なお、以下の説明に用いた各図においては、各層や各部材を図面上で認識可能な程度の大きさとするため、各層や各部材毎に縮尺を異ならせてある。
図１は、本発明の電気光学装置の一例を説明するための図であり、図１（ａ）は平面構造を説明するための図であり、図１（ｂ）は図１（ａ）のＡ−Ａ’線断面図であり、図１（ｃ）は電気光学装置の一部を拡大して示した拡大図である。
【００１５】
図１に示す電気光学装置１Ａは、表示領域６ａを備えた液晶表示装置（表示部）２と、第１発音体２１と第２発音体２２とからなる発音体と、フレーム４と、押え枠５とを備えている。第１発音体２１および第２発音体２２はそれぞれ、図１（ｂ）に示すように、スピーカ３ａ、３ｂと、第１気室（気室）８ａ、８ｂと、放音孔１０ａ、１０ｂと、導音路９ａ、９ｂとを備えている。
【００１６】
なお、本実施形態においては、第１発音体２１と第２発音体２２の２つの発音体を設けたものを例に挙げて説明するが、発音体の数は、３つ以上でもよい。
【００１７】
液晶表示装置２の表示領域６ａは、図１（ａ）に示すように、長方形であり、第１発音体２１および第２発音体２２のスピーカ３ａ、３ｂは、平面視したときに互いに重なり合わないように表示領域６ａの長手方向に並べて配置されている。また、スピーカ３ａ、３ｂは、図１（ａ）に示すように、平面視したときに表示領域６ａと重なり合っている。
【００１８】
フレーム４は、例えば、樹脂などによって形成され、外観的には概ね四角柱状又は四角板状に形成されている。フレーム４の一方の面（図１（ｂ）においては下面）には、平面視円形状の２つの凹部からなる第１気室８ａ、８ｂが設けられている。第１気室８ａ、８ｂは、スピーカ３ａ、３ｂに面接触する空間であり、各スピーカ３ａ、３ｂに対応して個別に設けられている。また、第１気室８ａ、８ｂは、フレーム４の内部に、円柱状又は円板状の空間として形成されており、スピーカ３ａ、３ｂに対して表示領域６ａ側に形成されている。
【００１９】
スピーカ３ａ、３ｂは、音を発生するものであり、図１（ｂ）に示すように、アルミニウム（Ａｌ）などからなるリング形状の支持フレーム１４と、支持フレーム１４と一体化された円板状の振動子１２と、振動子１２の両面に固着された円板状の圧電素子１３とを有する。スピーカ３ａ、３ｂは、図１（ｂ）に示すように、支持フレーム１４がフレーム４の下面に接着その他の固着手法によって固着されることによってフレーム４に支持されている。
【００２０】
また、第１発音体２１および第２発音体２２を構成する２つの放音孔１０ａ、１０ｂは、図１（ａ）に示すように、表示領域６ａの平面視外側に位置する周辺領域４ａに配置されている。より詳細には、２つの放音孔１０ａ、１０ｂは、表示領域６ａの外縁６ｄを構成する矩形の一辺である長辺６ｅに沿って並べられている。２つの放音孔１０ａ、１０ｂは、音質の優れた発音体とするために、後述する導音路９ａ、９ｂの長さを最も短くできる位置に設けられている。
【００２１】
また、図１（ｃ）は、２つの放音孔１０ａ、１０ｂのうちの１つの放音孔１０ａとその周辺のみを示した拡大図である。図１（ｃ）に示すように、放音孔１０ａの寸法は、表示領域６ａの外縁６ｄに沿う方向の幅ｄ２よりも、表示領域６ａの外縁６ｄに沿う方向と直交する方向の幅ｄ３の方が短くされている。放音孔１０ａを図１（ｃ）に示す形状とすることで、周辺領域４ａの面積を効果的に狭くできる。
また、周辺領域４ａの幅ｄ１の中心と、放音孔１０ａの外縁６ｄに沿う方向と直交する方向の幅ｄ３の中心とがほぼ一致するように配置されている。周辺領域４ａの幅ｄ１の中心と、放音孔１０ａの幅ｄ３の中心とをほぼ一致するように配置することで、周辺領域４ａの面積を狭くした場合に放音孔１０ａの周辺部の強度が確保しやすいものとなる。
【００２２】
また、フレーム４には、第１発音体２１および第２発音体２２を構成する２つの導音路９ａ、９ｂが形成されている。導音路９ａ、９ｂは、それぞれ、放音孔１０ａ、１０ｂと第１気室８ａ、８ｂとを連通して設けられている。
【００２３】
押え枠５は、アルミニウム、ステンレスなどの金属からなり、平面視長方形の角筒状に形成されている。図１（ｂ）に示すように、押え枠５の内面には、緩衝材２３を介してフレーム４が載置されている。緩衝材２３は、樹脂、ゴムなどの弾性材料によって形成されている。そして、押え枠５とスピーカ３ａ、３ｂとの間の空間は第２気室８ｃ、８ｄとして機能する。第２気室８ｃ、８ｄを構成する押え枠５の一部には、通気孔８ｅ、８ｆが設けられている。
【００２４】
図１に示す第１発音体２１および第２発音体２２では、導電線（図示略）などを介して音声信号が圧電素子１３へ伝送されると、圧電素子１３が振動子１２を振動させる。そして、振動子１２の振動と第１気室８ａ、８ｂおよび第２気室８ｃ、８ｄとの相互作用により音声信号に対応した音が発生し、導音路９ａ、９ｂを通して放音孔１０ａ、１０ｂから外部へと発せられる。
【００２５】
また、フレーム４の他方の面（図１（ｂ）においては上面）の中央部には、平面視長方形状の凹部４ｂが設けられている。フレーム４の凹部４ｂの中には、図１（ｂ）に示すように、電気光学パネルとしての液晶パネル６と、液晶パネル６に付設された照明装置７とからなる液晶表示装置２が収納されている。液晶表示装置２は、液晶パネル６の表示領域６ａ内に文字、数字、図形といった種々の情報を画像として表示するものである。本実施形態においては、フレーム４の凹部４ｂの平面視外側の領域が、周辺領域４ａとされている。
【００２６】
照明装置７は、液晶パネル６のフレーム４側（下側）に配置されていて、バックライトとして機能する。なお、照明装置７は、液晶パネル６の観察側に配設してフロントライトとして機能させても良い。また、照明装置７は、例えば、光源としての複数のＬＥＤ（Light Emitting Diode）と、導光体とによって構成できる。このような照明装置７では、ＬＥＤから放射された光を導光体によって面状の光に変換して液晶パネル６へ供給できる。なお、光源は、ＬＥＤ以外の点状光源や、冷陰極管等といった線状光源によって構成することもできる。
【００２７】
液晶パネル６としては、例えば、それぞれが電極を備えた一対の透光性の基板間に液晶を封入することによって形成されたものを用いることができる。なお、一対の透光性基板のそれぞれの外側表面には、偏光軸を適宜にずらせた状態の偏光板が設けられる。そして、照明装置７から液晶パネル６へ面状の光が供給されるとき、一対の電極に印加する電圧を画素ごとに制御することにより、液晶を通過する光を画素ごとに変調し、この変調光を偏光板に通すことにより、その偏光板の光出射側に文字、数字、図形等といった画像を表示する。
【００２８】
液晶パネル６は、任意の表示モードによって構成できる。例えば、液晶駆動方式でいえば、単純マトリクス方式およびアクティブマトリクス方式のいずれであっても良い。また、液晶モードの種別でいえば、ＴＮ（Twisted Nematic)、ＳＴＮ（Super Twisted Nematic）等を用いることができる。また、採光方式でいえば、透過型、反射型、半透過反射型のいずれであっても良い。なお、本実施形態では、照明装置７を用いるので、採光方式としては透過型または半透過反射型ということになる。
【００２９】
本実施形態の電気光学装置１Ａでは、第１発音体２１および第２発音体２２がそれぞれ、平面視したときに表示領域６ａと重なり合うように配置されたスピーカ３ａ、３ｂを有しているので、平面視したときに表示領域６ａとスピーカ３ａ、３ｂとが重なり合わないように配置した場合と比較して、第１発音体２１および第２発音体２２の配置に必要な周辺領域４ａの面積を狭くすることができる。
【００３０】
ここで、図５を用いて、本発明の効果を説明する。図５は、２つの発音体を有する電気光学装置の一例を説明するための図であり、図５（ａ）は平面構造を説明するための図であり、図５（ｂ）は図５（ａ）のＡ−Ａ’線断面図である。なお、図５に示す電気光学装置において、図１に示す電気光学装置と同一の部分には同一の符号を付し、その説明を省略する。
【００３１】
図５に示す電気光学装置が図１に示す電気光学装置１Ａと異なる点は、放音孔の配置のみである。図５に示す電気光学装置では、図５（ａ）に示すように、第１発音体２１の放音孔１１ａは、表示領域６ａの外縁６ｄである矩形の短辺６ｂの中央付近に配置され、第２発音体２２の放音孔１１ｂは、矩形の短辺６ｂに対向する短辺６ｃの中央付近に配置されている。
【００３２】
図５に示す電気光学装置は、対向する短辺６ｂ、６ｃに放音孔１１ａ、１１ｂがそれぞれ設けられているので、短辺６ｂ側と短辺６ｃ側の二辺に沿う周辺領域４ａに、放音孔１１ａ、１１ｂを配置するための面積を確保する必要があり、長辺側の二辺に沿う周辺領域４ａと比較して、短辺６ｂ、６ｃ側の二辺に沿う周辺領域４ａの面積を十分に狭くすることができない。
【００３３】
これに対し、また、図１に示す電気光学装置１Ａでは、第１発音体２１および第２発音体２２を構成する２つの放音孔１０ａ、１０ｂが、矩形の表示領域６ａの一辺である長辺６ｅに沿って、周辺領域４ａに配置されているので、長辺６ｅを除く三辺に沿う周辺領域４ａに、第１発音体２１および第２発音体２２を配置するための面積を確保する必要がなく、第１発音体２１および第２発音体２２の配置に必要な周辺領域４ａの面積を非常に狭くすることができる。
【００３４】
また、本実施形態の電気光学装置１Ａでは、スピーカ３ａ、３ｂは、平面視したときに互いに重なり合わないように並べて配置されているので、スピーカ３ａ、３ｂを平面視したときに互いに重なり合うように配置した場合と比較して、厚みの薄い電気光学装置となる。
さらに、本実施形態の電気光学装置１Ａでは、スピーカ３ａ、３ｂは、平面視したときに互いに重なり合わないように並べて配置されているので、導音路９ａ、９ｂの長さを、第１発音体２１および第２発音体２２において同一とすることができ、放音孔１０ａ、１０ｂから発せられる音の位相を同じとすることができ、音のバランスがよく、観察者にとって音が聞き易い優れたものとなる。
また、本実施形態の電気光学装置１Ａでは、放音孔１０ａ、１０ｂが表示領域６ａと同じ面に設けられているので、表示を見る観察者にとって音が聞き易いものとなる。
【００３５】
また、本実施形態の電気光学装置１Ａでは、２つの放音孔１０ａ、１０ｂを、矩形の表示領域６ａの一辺である長辺６ｅに沿って周辺領域４ａに配置したが、２つの放音孔１０ａ、１０ｂを、矩形の表示領域６ａの一辺である短辺６ｂまたは短辺６ｃに沿って周辺領域４ａに配置してもよく、２つの放音孔１０ａ、１０ｂが液晶表示装置２に表示される画像の左右方向と一致するように配置することが望ましい。２つの放音孔１０ａ、１０ｂが液晶表示装置２に表示される画像の左右方向と一致するように配置することで、表示を見る観察者にとって音が聞き易いものとなる。
また、２つの放音孔１０ａ、１０ｂを、矩形の表示領域６ａの一辺である長辺６ｅに沿って周辺領域４ａに配置した場合、２つの放音孔１０ａ、１０ｂを、矩形の表示領域６ａの一辺である短辺６ｂまたは短辺６ｃに沿って周辺領域４ａに配置した場合と比較して、２つの放音孔１０ａ、１０ｂ間の距離を遠ざけることが可能となり、ステレオ音響の効果が高く、音質の優れた発音体を備えたものとすることができる。
【００３６】
なお、本実施形態の電気光学装置１Ａでは、支持フレーム１４がフレーム４の下面に固着されることによって、スピーカ３ａ、３ｂがフレーム４に支持されているものを例に挙げて説明したが、本発明は上述した実施形態に限定されるものではなく、例えば図２に示す電気光学装置２Ａのように、支持フレーム１４が緩衝材２３を介して押え枠５の内面に固着されることによって、スピーカ３ａ、３ｂが押え枠５に支持されているものとしてもよい。なお、図２は、本発明の電気光学装置の他の例を説明するための図であり、図１（ａ）に示す電気光学装置の平面構造におけるＡ−Ａ’線断面図に相当する図である。
【００３７】
（電気光学装置の第２実施形態）
図３は、本発明の電気光学装置の他の例を説明するための図であり、図３（ａ）は平面構造を説明するための図であり、図３（ｂ）は図３（ａ）のＡ−Ａ’線断面図であり、図３（ｃ）は図３（ａ）のＢ−Ｂ’線断面図である。なお、図３に示す電気光学装置において、図１に示す電気光学装置と同一の部分には同一の符号を付し、その説明を省略する。
【００３８】
図３（ａ）に示すように、本実施形態の電気光学装置１Ｂでは、液晶表示装置２の表示領域６ａは、図１に示す電気光学装置１Ａと比較して、長辺と短辺との長さの差の小さい長方形であり、図３（ａ）（ｂ）に示すように、スピーカ３ａ、３ｂは、平面視したときに互いに重なり合うように配置されている。また、スピーカ３ａ、３ｂは、図３（ａ）（ｂ）に示すように、図１に示す電気光学装置１Ａと同様、平面視したときに表示領域６ａと重なり合っている。
【００３９】
また、図１に示す電気光学装置１Ａでは、スピーカ３ａ、３ｂがフレーム４に支持されていたが、図３に示す電気光学装置１Ｂでは、スピーカ３ａが押え枠５１に支持されている。そして、スピーカ３ａに対して押え枠５１側（図３においては下側）に形成された円柱状又は円板状の空間であって、スピーカ３ａと押え枠５１の内壁との間の空間が、第１気室８ａとして機能するようになっている。また、スピーカ３ａとスピーカ３ｂとの間の空間は、第１発音体２１および第２発音体２２の共有する第２気室８ｇとして機能する。さらに、図３に示す電気光学装置１Ｂでは、側面８ｉは、フレーム４１と押え枠５１とが接合されて形成されており、側面８ｉの一部には、図３（ｂ）に示すように、通気孔８ｈが設けられている。
【００４０】
また、本実施形態の電気光学装置１Ｂでは、図３（ｂ）に示すように、フレーム４１と押え枠５１とに、第１発音体２１の導音路９１が形成されている。導音路９１は、図３（ａ）（ｃ）に示すように、放音孔１０ａと第１気室８ａとを連通して設けられている。
また、本実施形態の電気光学装置１Ｂでは、導音路９１、９ｂが、図３（ａ）に示すように、平面視したときに、表示領域６ａの中心から長辺６ｅに対して傾斜する方向であって、なおかつ互いに離れる方向に向かって延びて形成され、２つの放音孔１０ａ、１０ｂが平面視したときに互いに重なり合わないように並べて配置されている。
【００４１】
なお、本実施形態の電気光学装置１Ｂでは、スピーカ３ａ、３ｂは、平面視したときに互いに重なり合うように配置されているので、導音路９１、９ｂの長さを、第１発音体２１および第２発音体２２において同一とすることは困難である。したがって、本実施形態の電気光学装置１Ｂでは、導音路９１、９ｂの長さの差に起因する音質の差を補償し、放音孔１０ａ、１０ｂから発せられる音の位相を同じとするために、導音路９１と導音路９ｂとの断面積の大きさを異ならせることが望ましい。具体的には、長い方の導音路９１の断面積を大きくする方法や、短い方の導音路９ｂの断面積を小さくする方法などによって、導音路９１、９ｂの長さの差に起因する音質の差を適切に補償でき、音のバランスがよく、観察者にとって音が聞き易い優れたものとすることができる。
【００４２】
ここで、図６を用いて、本発明の効果を説明する。図６は、２つの発音体を有する電気光学装置の一例を説明するための図であり、図６（ａ）は平面構造を説明するための図であり、図６（ｂ）は図６（ａ）のＡ−Ａ’線断面図である。なお、図６に示す電気光学装置において、図３に示す電気光学装置と同一の部分には同一の符号を付し、その説明を省略する。
【００４３】
図６に示す電気光学装置が図３に示す電気光学装置１Ｂと異なる点は、放音孔のみである。図６に示す電気光学装置では、図６（ａ）に示すように、第１発音体２１の放音孔１１ａは、表示領域６ａの外縁６ｄである矩形の短辺６ｂの中央付近に配置され、第２発音体２２の放音孔１１ｂは、矩形の短辺６ｂに対向する短辺６ｃの中央付近に配置されている。
【００４４】
図６に示す電気光学装置は、図５に示す電気光学装置と同様に、短辺６ｂ側と短辺６ｃ側の二辺に沿う周辺領域４ａに、放音孔１１ａ、１１ｂを配置するための面積を確保する必要があり、長辺側の二辺に沿う周辺領域４ａと比較して、短辺６ｂ、６ｃ側の二辺に沿う周辺領域４ａの面積を十分に狭くすることができない。
【００４５】
これに対し、図３に示す電気光学装置１Ｂにおいては、図１に示す電気光学装置１Ａと同様に、第１発音体２１および第２発音体２２を構成する２つの放音孔１０ａ、１０ｂが、矩形の表示領域６ａの一辺である長辺６ｅに沿って、周辺領域４ａに配置されているので、長辺６ｅを除く三辺に沿う周辺領域４ａに、第１発音体２１および第２発音体２２を配置するための面積を確保する必要がなく、第１発音体２１および第２発音体２２の配置に必要な周辺領域４ａの面積を非常に狭くすることができる。
【００４６】
また、図３に示す電気光学装置１Ｂにおいては、図１に示す電気光学装置１Ａと比較して液晶表示装置２の表示領域６ａが、長辺６ｅと短辺６ｂ、６ｃとの長さの差の小さい長方形であって、スピーカ３ａ、３ｂが、平面視したときに互いに重なり合うように配置されているとともに、平面視したときに表示領域６ａと重なり合っているので、図１に示す電気光学装置１Ａと比較して、電気光学装置の大きさをより一層小型にできる。
さらに、図３に示す電気光学装置１Ｂでは、スピーカ３ａとスピーカ３ｂとの間の空間が、第１発音体２１および第２発音体２２の共有する第２気室８ｇとして機能するので、スピーカ３ａとスピーカ３ｂとの間に、第１発音体２１および第２発音体２２に個別の第２気室を設ける場合と比較して、電気光学装置の厚みを薄くできる。
【００４７】
また、図１に示す電気光学装置１Ａでは、表示領域の６ａの長辺の半分の長さに応じて２つのスピーカ３ａ、３ｂの大きさを決定しなければならないが、図３に示す電気光学装置１Ｂにおいては、表示領域の６ａの短辺の長さに応じて２つのスピーカ３ａ、３ｂの大きさを決定することができる。したがって、図３に示す電気光学装置１Ｂにおいては、図１に示す電気光学装置１Ａと比較して、表示領域の６ａに対して相対的に大きいスピーカ３ａ、３ｂを備えることが可能となり、ステレオ音響の効果が高く、音質の優れた発音体を備えたものとすることができる。
【００４８】
（電気光学装置の第３実施形態）
図４は、本発明の電気光学装置の他の例を説明するための図であり、図４（ａ）は平面構造を説明するための図であり、図４（ｂ）は図４（ａ）のＡ−Ａ’線断面図であり、図４（ｃ）は図４（ａ）のＢ−Ｂ’線断面図であり、図４（ｄ）は図４（ａ）のＣ−Ｃ’線断面図である。なお、図４に示す電気光学装置において、図１に示す電気光学装置１Ａと同一の部分には同一の符号を付し、その説明を省略する。
【００４９】
図４（ａ）に示すように、本実施形態の電気光学装置１Ｃでは、液晶表示装置２の表示領域６ａは、図１に示す電気光学装置１Ａと比較して、長辺６ｅと短辺６ｂ、６ｃとの長さの差の小さい長方形であり、図３に示す電気光学装置１Ｂと比較して、長辺６ｅと短辺６ｂ、６ｃとの長さの差の大きい長方形である。また、本実施形態の電気光学装置１Ｃでは、図４（ａ）（ｂ）に示すように、スピーカ３ａ、３ｂは、平面視したときに互いに一部が重なり合うように配置されている。また、スピーカ３ａ、３ｂは、図４（ａ）（ｂ）に示すように、図１に示す電気光学装置１Ａと同様、平面視したときに表示領域６ａと重なり合っている。
【００５０】
また、本実施形態の電気光学装置１Ｃでは、図４（ｂ）（ｃ）（ｄ）に示すように、フレーム４２の内部は段階状になっており、液晶表示装置２に近い側の段部に第２発音体２２のスピーカ３ｂが設けられ、液晶表示装置２から遠い側の段部に第１発音体２１のスピーカ３ａが設けられている。
【００５１】
また、本実施形態の電気光学装置１Ｃでは、導音路９ａ、９ｂが、図４（ａ）に示すように、平面視したときに、スピーカ３ａ、３ｂの中心位置から長辺６ｅに対して傾斜する方向であって、なおかつ互いに離れる方向に向かって延びて形成され、２つの放音孔１０ａ、１０ｂが平面視したときに互いに重なり合わないように並べて配置されている。
【００５２】
図４に示す電気光学装置１Ｃにおいては、図１に示す電気光学装置１Ａと同様に、第１発音体２１および第２発音体２２を構成する２つの放音孔１０ａ、１０ｂが、矩形の表示領域６ａの一辺である長辺６ｅに沿って、周辺領域４ａに配置されているので、長辺６ｅを除く三辺に沿う周辺領域４ａに、第１発音体２１および第２発音体２２を配置するための面積を確保する必要がなく、第１発音体２１および第２発音体２２の配置に必要な周辺領域４ａの面積を非常に狭くすることができる。
【００５３】
また、図４に示す電気光学装置１Ｃにおいては、図１に示す電気光学装置１Ａと比較して液晶表示装置２の表示領域６ａが、長辺６ｅと短辺６ｂ、６ｃとの長さの差の小さい長方形であって、スピーカ３ａ、３ｂが、平面視したときに一部互いに重なり合うように配置されているとともに、平面視したときに表示領域６ａと重なり合っているので、図１に示す電気光学装置１Ａと比較して、電気光学装置の大きさをより一層小型にできる。また、表示領域の６ａの短辺６ｂ、６ｃの長さに応じて２つのスピーカ３ａ、３ｂの大きさを決定することができるので、図１に示す電気光学装置１Ａと比較して、表示領域の６ａに対して相対的に大きいスピーカ３ａ、３ｂを備えることが可能となる。
また、図４に示す電気光学装置１Ｃにおいては、図３に示す電気光学装置１Ｂと比較して、表示領域６ａが長辺６ｅと短辺６ｂ、６ｃとの長さの差の大きい長方形であるので、図３に示す電気光学装置１Ｂと比較して、２つの放音孔１０ａ、１０ｂ間の距離を遠ざけることが可能となり、ステレオ音響の効果が高く、音質の優れた発音体を備えたものとすることができる。
【００５４】
（電気光学装置に関するその他の実施形態）
以上、好ましい実施形態を挙げて本発明を説明したが、本発明はその実施形態に限定されるものでなく、請求の範囲に記載した発明の範囲内で種々に改変できる。
例えば、以上の説明では電気光学装置の表示部として液晶表示装置を用いたが、液晶表示装置に代えてその他の表示装置、例えばＥＬ表示装置、プラズマディスプレイ装置等を用いることができる。また、上述した実施形態においては、スピーカとして、振動板と圧電素子とを用いる発音体を例に挙げて説明したが、発音体はこのようなスピーカを備えたものに限られず、必要に応じて種々の構造のスピーカを備えた発音体を用いることができる。
【００５５】
（電子機器の第１実施形態）
図７は、本発明に係る電子機器の一例である携帯電話機を示す斜視図である。図７に示す携帯電話機８０は、本体部８１と、本体部８１に開閉可能に設けられた表示体部８２とを有する。本体部８１には操作ボタン８３が配列されている。また、表示体部８２の内部には、図１に示す電気光学装置１Ａが配置されている。
【００５６】
図７に示す携帯電話機８０は、周辺領域の面積を狭くできる電気光学装置１Ａを備えたものであるので、小型のものとなる。なお、図７に示す携帯電話機８０において、電気光学装置１Ａに代えて、図２〜図４に示す電気光学装置を配置してもよい。
【００５７】
（電子機器に関するその他の実施形態）
以上、好ましい実施形態を挙げて本発明を説明したが、本発明はその実施形態に限定されるものでなく、請求の範囲に記載した発明の範囲内で種々に改変できる。例えば、本発明に係る電子機器としては、以上に説明した携帯電話機の他にも、パーソナルコンピュータ、液晶テレビ、デジタルスチルカメラ、腕時計、ビューファインダ型又はモニタ直視型のビデオテープレコーダ、カーナビゲーション装置、ページヤ、電子手帳、電卓、ワードプロセッサ、ワークステーション、テレビ電話、ＰＯＳ端末、その他各種の機器が考えられる。
【図面の簡単な説明】
【００５８】
【図１】図１は、本発明の電気光学装置の一例を説明するための図である。
【図２】図２は、本発明の電気光学装置の他の例を説明するための図である。
【図３】図３は、本発明の電気光学装置の他の例を説明するための図である。
【図４】図４は、本発明の電気光学装置の他の例を説明するための図である。
【図５】図５は、１つの放音孔を有する２つの発音体を備える電気光学装置の一例を説明するための図である。
【図６】図６は、１つの放音孔を有する２つの発音体を備える電気光学装置の一例を説明するための図である。
【図７】図７は、本発明に係る電子機器の一例である携帯電話機を示す斜視図である。
【符号の説明】
【００５９】
１Ａ、１Ｂ、１Ｃ、２Ａ  電気光学装置、２  液晶表示装置（表示部）、３ａ、３ｂ  スピーカ、４、４１、４２  フレーム、４ａ  周辺領域、４ｂ  凹部、５、５１  押え枠、６  液晶パネル、６ａ  表示領域、６ｂ、６ｃ  短辺、６ｄ  外縁、６ｅ  長辺、７  照明装置、８ａ、８ｂ  第１気室（気室）、８ｃ、８ｄ、８ｇ  第２気室、８ｅ、８ｆ、８ｈ  通気孔、８ｉ  側面、９ａ、９ｂ、９１  導音路、１０ａ、１０ｂ、１１ａ、１１ｂ  放音孔、１２  振動子、１３  圧電素子、１４  支持フレーム、２１  第１発音体（発音体）、２２  第２発音体（発音体）、２３  緩衝材、８０  携帯電話機、８１  本体部、８２  表示体部、８３  操作ボタン。
【図１】
0004793047.tif 000002
【図２】
0004793047.tif 000003
【図３】
0004793047.tif 000004
【図４】
0004793047.tif 000005
【図５】
0004793047.tif 000006
【図６】
0004793047.tif 000007
【図７】
0004793047.tif 000008